(57)【要約】【課題】複数人でレンズ操作を行う撮影システムにおいて、ピント調整を容易に行うための撮影システムを提供すること。【解決手段】操作部材の変位に応じてレンズを駆動するための指令信号を出力するレンズ操作装置と、前記レンズ装置は前記レンズ操作装置を複数接続可能で、複数の前記レンズ操作装置によりひとつのレンズを制御可能な撮影システムにおいて、前記レンズ操作装置の操作者を識別し、操作者識別信号を出力する操作者識別手段と、前記レンズ駆動信号を制御する微調整制御信号を出力する微調整制御切替手段と、前記操作者識別信号と前記微調整制御信号により前記レンズ操作装置の操作の優先順位を決定する優先順位決定手段と、を備えたことを特徴とする。【選択図】図１
2017215403.tif 000002
【特許請求の範囲】
【請求項１】
操作部材の変位に応じてレンズ装置のレンズを駆動するための指令信号を出力するレンズ操作装置と、
前記レンズ装置は前記レンズ操作装置を複数接続可能で、複数の前記レンズ操作装置によりひとつのレンズを制御可能な撮影システムにおいて、
前記レンズ操作装置の操作者を識別し、操作者識別信号を出力する操作者識別手段と、
前記レンズ駆動信号を制御する微調整制御信号を出力する微調整制御切替手段と、
前記操作者識別信号と前記微調整制御信号により前記レンズ操作装置の操作の優先順位を決定する優先順位決定手段と、
を備えたことを特徴とする撮影システム。
【請求項２】
前記レンズ操作装置には、前記操作部材に物理的な操作端の有る第１のレンズ操作装置と、操作端の無い第２のレンズ操作装置を有し、前記操作者識別手段の識別には、第１の操作者識別と、第２の操作者識別を有し、前記微調整制御切替手段の切り替えには、前記レンズ操作装置の操作量に対して駆動指令が大きい粗調整制御モードと、駆動指令が小さい微調整制御モードを有することを特徴とする請求項１に記載の撮影システム。
【請求項３】
前記第１の操作者識別とは主にカメラ装置の操作をするカメラマンであり、前記第２の操作者識別とは主にフォーカス操作を行うフォーカスマンであることを特徴とする請求項１又は請求項２に記載の撮影システム。
【請求項４】
前記第１の操作者識別をされた前記第１のレンズ操作装置と、前記第２の操作者識別をされた前記第１のレンズ操作装置の組み合わせにおいて、前記第１の操作者識別をされた前記第１のレンズ操作装置の指令値により、レンズを駆動することを特徴とする請求項１乃至請求項３の何れか一項に記載の撮影システム。
【請求項５】
前記第１の操作者識別をされた前記第２のレンズ操作装置と、前記第２の操作者識別をされた前記第２のレンズ操作装置の組み合わせにおいて、前記第１の操作者識別をされた前記第１のレンズ操作装置の指令値に、前記第２の操作者識別をされた前記第１のレンズ操作装置の指令値を加算し、レンズを駆動することを特徴とする請求項１乃至請求項３の何れか一項に記載の撮影システム。
【請求項６】
前記第１の操作者識別をされた前記第２のレンズ操作装置と、前記第２の操作者識別をされた前記第１のレンズ操作装置の組み合わせにおいて、前記第２の操作者識別をされた前記第１のレンズ操作装置の指令値に、前記第１の操作者識別をされた前記第２のレンズ操作装置の指令値を加算し、レンズを駆動することを特徴とする請求項１乃至請求項３の何れか一項に記載の撮影システム。
【請求項７】
前記第１の操作者識別をされ粗調整制御である前記第２のレンズ操作装置と、前記第２の操作者識別をされた前記第２のレンズ操作装置の組み合わせにおいて、前記第１の操作者識別をされ粗調整制御である前記第２のレンズ操作装置の指令値に、前記第２の操作者識別をされた前記第２のレンズ操作装置の指令値を加算し、レンズを駆動することを特徴とする請求項１乃至請求項３の何れか一項に記載の撮影システム。
【請求項８】
前記第１の操作者識別をされ微調整制御である前記第２のレンズ操作装置と、前記第２の操作者識別をされた前記第２のレンズ操作装置の組み合わせにおいて、前記第２の操作者識別をされ微調整制御である前記第２のレンズ操作装置の指令値により、レンズを駆動することを特徴とする請求項１乃至請求項３の何れか一項に記載の撮影システム。
【請求項９】
前記レンズ操作装置には、前記操作者識別手段と前記微調整制御切替手段が無く、操作部材に物理的な操作端の有る第３のレンズ操作装置と、操作端の無い前記第４のレンズ操作装置があることを特徴とする請求項１乃至請求項３の何れか一項に記載の撮影システム。
【請求項１０】
前記第１の操作者識別をされた前記第１のレンズ操作装置と、前記第３のレンズ操作装置の組み合わせにおいて、前記第１の操作者識別をされた前記第１のレンズ操作装置の指令値により、レンズを駆動することを特徴とする請求項１、請求項２、請求項３、請求項９の何れか一項に記載の撮影システム。
【請求項１１】
前記第１の操作者識別をされた前記第１のレンズ操作装置と、前記第４のレンズ操作装置の組み合わせにおいて、前記第１の操作者識別をされた前記第１のレンズ操作装置の指令値に、前記第４レンズ操作装置の指令値を加算し、レンズを駆動することを特徴とする請求項１、請求項２、請求項３、請求項９の何れか一項に記載の撮影システム。
【請求項１２】
前記第１の操作者識別をされた前記第２のレンズ操作装置と、前記第３のレンズ操作装置の組み合わせでは、前記第３のレンズ操作装置の指令値に、前記第２の操作者識別をされた前記第２のレンズ操作装置の指令値を加算し、レンズを駆動することを特徴とする請求項１、請求項２、請求項３、請求項９の何れか一項に記載の撮影システム。
【請求項１３】
前記第１の操作者識別をされ粗調整制御である前記第２のレンズ操作装置と、前記第４のレンズ操作装置の組み合わせでは、前記第１の操作者識別をされ粗調整制御である前記第２のレンズ操作装置の指令値に、前記第４レンズ操作装置の指令値を加算し、レンズを駆動することを特徴とする請求項１、請求項２、請求項３、請求項９の何れか一項に記載の撮影システム。
【請求項１４】
前記第１の操作者識別をされ微調整制御である前記第２のレンズ操作装置と、前記第４のレンズ操作装置の組み合わせでは、前記第１の操作者識別をされ微調整制御である前記第２のレンズ操作装置の指令値により、レンズを駆動することを特徴とする請求項１、請求項２、請求項３、請求項９の何れか一項に記載の撮影システム。
【発明の詳細な説明】
【技術分野】
【０００１】
本発明は、複数人でレンズ操作を行う撮影システムにおいて、ピント調整を容易に行うための技術に関する。
【背景技術】
【０００２】
放送用撮影システムにおいて、カメラマンがピント調整を行う際には、カメラに備え付けてあるビューファーの映像を確認しながらフォーカスデマンドを操作してピント調整を行っている。
【０００３】
しかし、スーパーハイビジョン等の高精細な映像を撮影する場合では、現行のビューファーの映像は低解像度であり、また画面が小さいため、目的の被写体にピントが合っていることを判断することは困難である。
【０００４】
そのため、高精細な映像のピント調整を行う場合には、フォーカスを専門に操作する撮影者、いわゆるフォーカスマンと呼ばれる人物が別途用意された高解像度モニタにて映像を確認し、フォーカスデマンドを操作してピント調整を行っている。
【０００５】
特許文献１には、フォーカスデマンドの操作量に対するレンズ駆動量を変更することでピントの微調整を行う制御技術が開示されており、高精細な映像でのピント調整補助を行うことが可能となっている。
【０００６】
また、特許文献２には、カメラマンとフォーカスマンのフォーカス操作権切替手段をレンズ装置に設け、カメラマンとフォーカスマンのフォーカス操作権を切り替えることにより、カメラマンとフォーカスマンが同時にフォーカスデマンドを操作した場合にフォーカス駆動指令信号同士が干渉し合い、目的のフォーカス操作ができないことを回避する技術が開示されている。
【先行技術文献】
【特許文献】
【０００７】
【特許文献１】特開平４−２８５９２０号公報
【特許文献２】特開平１０−０８２９４３号公報
【発明の概要】
【発明が解決しようとする課題】
【０００８】
しかしながら、特許文献２のフォーカス操作切替手段では、フォーカス操作権をカメラマンのフォーカスデマンドもしくはフォーカスマンのフォーカスデマンドのどちらかにしか持たせることができないため、カメラマンとフォーカスマンが交互にフォーカス操作をする場合には、レンズ装置側にあるフォーカス操作権切替手段にて、再度設定しなければならない。そのため操作性が良くなく煩雑となっている。
【０００９】
また、絶対値指令により操作を行うフォーカスデマンドでは、カメラマンとフォーカスマンのフォーカス操作権を切り替えた際に、各デマンドのフォーカス指令位置が異なることによりフォーカス位置が大きく移動する現象、いわゆるレンズの乗り移りが発生する場合があり、映像上では大きくピントが外れてしまう場合がある。
【００１０】
そこで、本発明の目的は、複数人でレンズ操作を行う撮影システムにおいて、ピント調整を容易に行うための撮影システムを提供することにある。
【課題を解決するための手段】
【００１１】
上記の目的を達成するために、本発明に係る撮影システムは、
操作部材の変位に応じてレンズを駆動するための指令信号を出力するレンズ操作装置と、
前記レンズ装置は前記レンズ操作装置を複数接続可能で、
複数の前記レンズ操作装置によりひとつのレンズを制御可能な撮影システムにおいて、
前記レンズ操作装置の操作者を識別し、操作者識別信号を出力する操作者識別手段と、
前記レンズ駆動信号を制御する微調整制御信号を出力する微調整制御切替手段と、
前記操作者識別信号と前記微調整制御信号により前記レンズ操作装置の操作の優先順位を決定する優先順位決定手段と、を備えたことを特徴とする。
【発明の効果】
【００１２】
本発明によれば、複数人でレンズ操作を行う撮影システムにおいて、ピント調整を容易に行うための撮影システムを提供することができる。
【図面の簡単な説明】
【００１３】
【図１】実施例１の本発明の機能ブロック図
【図２】実施例１の概略を示すレンズ装置ＣＰＵ１１の全体動作フロー
【図３】実施例１の概略を示すレンズ装置ＣＰＵ１１の動作フロー１
【図４】実施例１の概略を示すレンズ装置ＣＰＵ１１の動作フロー２
【図５】実施例１の図２、図３、図４のフロー結果による分類表
【図６】実施例２の本発明の機能ブロック図
【図７】実施例１の概略を示すレンズ装置ＣＰＵ１１の全体動作フロー
【図８】実施例２の概略を示すレンズ装置ＣＰＵ１１の動作フロー１
【図９】実施例２の概略を示すレンズ装置ＣＰＵ１１の動作フロー２
【図１０】実施例２の図７、図８、図９のフロー結果による分類表
【発明を実施するための形態】
【００１４】
以下に本発明の好ましい実施の形態を、添付の図面に基づいて詳細に説明する。
【実施例１】
【００１５】
以下、図１〜図５を用いて、本発明の第１の実施例を説明する。
【００１６】
まず、図１を用いて、本実施例に用いる撮影システムについて説明する。
【００１７】
図１は本発明の撮影システムにおける機能ブロック図である。
【００１８】
図１に示す撮影システムは、主にレンズ装置１、カメラ装置２、ビューファー装置３、モニタ装置４、レンズ操作装置５、レンズ操作装置６にて構成されている。
【００１９】
レンズ装置１にはレンズがあり、レンズ操作装置５とレンズ操作装置６の各種信号を通信するレンズ装置ＣＰＵ１１にて構成されている。各レンズ操作装置と通信する信号はレンズ駆動指令信号、操作者識別信号、操作端有無信号、微調整制御信号を有している。レンズ装置ＣＰＵ１１には各レンズ操作装置の操作権の優先順位を決定する優先順位決定手段１１１がある。
【００２０】
カメラ装置２は撮影装置であり、撮影された映像は低解像度で小型のビューファー装置３と高解像度で大型のモニタ装置４に送信され映像表示を行う。
【００２１】
レンズ操作装置５は、レンズ装置１と通信を行うレンズ操作装置ＣＰＵ５１、操作者識別手段５２、操作部材５３、微調制御切替手段５４、操作部材５３、表示灯５５にて構成されている。
【００２２】
レンズ操作装置ＣＰＵ５１は、レンズ装置１との各種信号を通信を行う。内部には指令信号生成手段５１１があり回転ノブと呼ばれる操作部材５３のノブ回転量に応じて、レンズ装置１の該当するレンズに対応したレンズ駆動指令信号の生成を行う。
【００２３】
操作者識別手段５２は操作者を識別するためのスイッチであり、操作者とはレンズ装置１に取り付けてあるビューファー装置３の映像にてフォーカス操作を行うカメラマンと、モニタ装置４の映像にてフォーカス操作を行うフォーカスマンである。
【００２４】
微調制御切替手段５４はフォーカスレンズの微調整制御を切り替えるスイッチである。通常では操作部材５３の操作量に対応した、あるレンズ駆動量にてレンズを駆動する粗調整制御を行っているが、微調制御切替手段５４を設定することにより粗調整制御のレンズ駆動量に対して、レンズ駆動量を小さくした微調整制御を行うことができる。
【００２５】
表示灯５５はレンズ操作装置の現在の状態を知らしめるための表示灯である。
【００２６】
レンズ操作装置６はレンズ操作装置５と同じ構成のため、説明を省略する。
【００２７】
図２はレンズ装置ＣＰＵ１１にある優先順位決定手段１１１での全体フローである。
【００２８】
本実施例について図２を用いて説明する。
【００２９】
ステップＳＴ２０１で処理を開始し、ステップＳＴ２０２ではレンズ操作装置の操作者の状態を識別する。
【００３０】
ステップＳＴ２０３では、ＳＴ２０２の操作者識別結果とレンズ操作装置の状態により、優先順位を決定する。図２のステップＳＴ２０２の詳細については図３を用いて、ステップＳＴ２０３の詳細については、図４を用いて説明する。
【００３１】
図３はレンズ装置ＣＰＵ１１にある優先順位決定手段１１１での操作者を識別するフローである。
【００３２】
本実施例について図３を用いて説明する。
【００３３】
また、図３フロー中のＣデマンドとは操作者識別手段５４の設定がカメラマンになっているレンズ操作装置を示し、Ｆデマンドとはフォーカスマン設定になっているレンズ操作装置を示す。
【００３４】
ステップＳＴ３０１で処理を開始し、ステップＳＴ３０２ではレンズ操作装置５の操作者識別手段５４の設定状態を識別する。フォーカスマン設定の場合はステップＳＴ３０３へ進み、カメラマン設定の場合はステップＳＴ３０６へ進む。
【００３５】
ステップＳＴ３０３では、レンズ操作装置６の操作者識別手段５４の設定状態を識別し、フォーカスマン設定の場合はステップＳＴ３０４へ進み、カメラマン設定の場合はステップＳＴ３０５へ進む。
【００３６】
ステップＳＴ３０４では、レンズ操作装置５、レンズ操作装置６を共にフォーカスマン用と認識する。その後、ステップＳＴ３０９へ進み、操作者識別を終了する。
【００３７】
ステップＳＴ３０５では、レンズ操作装置５をフォーカスマン用と認識し、レンズ操作装置６をカメラマン用と認識する。その後、ステップＳＴ３０９へ進み、操作者識別を終了する。
【００３８】
ステップＳＴ３０６では、レンズ操作装置６の操作者識別手段５４の状態を検出し、フォーカスマン設定の場合はステップＳＴ３０７へ進み、カメラマン設定の場合はステップＳＴ３０８へ進む。
【００３９】
ステップＳＴ３０７では、レンズ操作装置５をカメラマン用と認識し、レンズ操作装置６をフォーカスマン用と認識する。その後、ステップＳＴ３０９へ進み、操作者識別を終了する。
【００４０】
ステップＳＴ３０８では、レンズ操作装置５、レンズ操作装置６を共にカメラマン用と認識する。その後、ステップＳＴ３０９へ進み、操作者識別を終了する。
【００４１】
図４は優先順位決定手段１１１でのフォーカス操作権の優先順位を決定するフローである。
【００４２】
本実施例について図４を用いて説明する。なお、図３のフロー結果にてレンズ操作装置５とレンズ操作装置６の操作者識別結果が同種である場合には、図４のフローを適用しない。この場合は先操作を優先、もしくは後操作を優先としてもよい。
【００４３】
ステップＳＴ４０１で処理を開始し、ステップＳＴ４０２ではＣデマンドの操作部材５３に物理的な操作制限である操作端の有無を識別する。レンズ操作装置に操作端が有る場合のレンズ駆動指令信号は操作部材５４の位置に対応した絶対値指令となっており、操作端が無い場合のレンズ駆動指令信号は相対値指令となっている。識別の結果、操作端が有る場合にはステップＳＴ４０３へ進み、操作端が無い場合にはステップＳＴ４０８へ進む。
【００４４】
ステップＳＴ４０３では、Ｆデマンドの操作端有無を識別する。操作端が有る場合にはステップＳＴ４０４へ進み、操作端が無い場合にはステップＳＴ４０５へ進む。
【００４５】
ステップＳＴ４０４では、フォーカスマンとカメラマンのレンズ操作装置は操作端有りのためどちらも絶対値指令であると判断し、フォーカス操作権を切り替えた際にレンズ乗り移りが発生する可能性があることから、フォーカス操作権をフォーカスマン専有とし、カメラマンによるフォーカス操作を禁止する。その後、ステップＳＴ４１７へ進み、優先順位決定を終了する。
【００４６】
ステップＳＴ４０５では、Ｆデマンドの微調整制御設定の識別を行う。Ｆデマンドが微調整制御設定の場合にはステップＳＴ４０６に進み、微調整制御設定ではない場合にはステップＳＴ４０７へ進む。
【００４７】
ステップＳＴ４０６では、フォーカス操作は絶対値指令であるカメラマン側のレンズ操作装置を優先し、相対値指令且つ微調整制御であるフォーカスマン側のレンズ操作装置の指令信号をカメラマン側の絶対値指令に加算し、レンズ駆動を行う。加算とは現在のレンズ位置から相対値指令によりレンズを駆動制御することである。これにより、フォーカス操作権が優先設定されていない操作者がレンズを操作しても、レンズ乗り移りを発生させずにレンズを駆動することが可能となる。その後、ステップＳＴ４１７へ進み、優先順位決定を終了する。
【００４８】
ステップＳＴ４０７では、フォーカス操作は絶対値指令であるカメラマン側のレンズ操作装置を優先し、相対値指令且つ粗調整制御であるフォーカスマン側のレンズ操作装置の指令信号をカメラマン側の絶対値指令に加算し、レンズ駆動を行う。その後、ステップＳＴ４１７へ進み、優先順位決定を終了する。
【００４９】
ステップＳＴ４０８では、Ｆデマンドの操作端有無を識別する。操作端が有る場合にはステップＳＴ４０９へ進み、操作端が無い場合にはステップＳＴ４１２へ進む。
【００５０】
ステップＳＴ４０９では、Ｃデマンドの微調整制御設定の識別を行う。Ｃデマンドが微調整制御設定の場合にはステップＳＴ４１０に進み、微調整制御設定ではない場合にはステップＳＴ４１１へ進む。
【００５１】
ステップＳＴ４１０では、フォーカス操作は絶対値指令であるフォーカスマン側のレンズ操作装置を優先し、相対値指令且つ微調整制御であるカメラマン側のレンズ操作装置の指令信号をフォーカスマン側の絶対値指令に加算し、レンズ駆動を行う。その後、ステップＳＴ４１７へ進み、優先順位決定を終了する。
【００５２】
ステップＳＴ４１１では、フォーカス操作は絶対値指令であるフォーカスマン側のレンズ操作装置を優先し、相対値指令且つ粗調整制御であるカメラマン側のレンズ操作装置の指令信号をフォーカスマン側の絶対値指令に加算し、レンズ駆動を行う。その後、ステップＳＴ４１７へ進み、優先順位決定を終了する。
【００５３】
ステップＳＴ４１２では、Ｆデマンドの微調整制御設定の識別を行う。Ｆデマンドが微調整制御設定の場合にはステップＳＴ４１３に進み、微調整制御設定ではない場合にはステップＳＴ４１４へ進む。
【００５４】
ステップＳＴ４１３では、フォーカスマンとカメラマンのレンズ操作装置は操作端無しのためどちらも相対値指令となっているが、フォーカスマン側のレンズ操作装置が微調整制御になっていることから、フォーカスマンがピント調整を行っていると判断し、フォーカス操作権をフォーカスマン専有とし、カメラマンの操作を禁止する。その後、ステップＳＴ４１７へ進み、優先順位決定を終了する。
【００５５】
ステップＳＴ４１４では、Ｃデマンドの微調整制御設定の識別を行う。Ｃデマンドが微調整制御設定の場合にはステップＳＴ４１５に進み、微調整制御設定ではない場合にはステップＳＴ４１６へ進む。
【００５６】
ステップＳＴ４１５では、フォーカスマンとカメラマンのレンズ操作装置は操作端無しのためどちらも相対値指令となっているが、フォーカスマン側のレンズ操作装置が粗調整制御であることから、フォーカスマンがピント調整を行っていないと判断し、フォーカスマンとカメラマンにフォーカス操作権を持たせる。しかし、ビューファー装置３によるピント調整はカメラマンに困難であるため、フォーカスマンの操作権を優先とし、相対値指令且つ微調整制御であるカメラマン側のレンズ操作装置の指令信号をフォーカスマン側の指令値に加算し、レンズ駆動を行う。その後、ステップＳＴ４１７へ進み、優先順位決定を終了する。
【００５７】
ステップＳＴ４１６ではフォーカスマンとカメラマンのレンズ操作装置は操作端無しのためどちらも相対値指令となっているが、フォーカスマン側のレンズ操作装置が粗調整制御であることから、フォーカスマンがピント調整を行っていないと判断し、フォーカスマンとカメラマンにフォーカス操作権を持たせる。しかし、ビューファー装置３によるピント調整はカメラマンに困難であるため、フォーカスマンの操作権を優先とし、相対値指令且つ粗調整制御であるカメラマン側のレンズ操作装置の指令信号をフォーカスマン側の指令値に加算し、レンズ駆動を行う。
【００５８】
その後、ステップＳＴ４１７へ進み、優先順位決定を終了する。
【００５９】
以上のように本実施例を実施し、フォーカス操作に優先権を持たせることによって、複数人でレンズ操作を行うことが容易になるとともに、レンズ乗り移りを回避しつつピント調整作業を行うことが可能となる。
【００６０】
図５は本実施例の図２、３、４にて説明したレンズ操作装置の状態による優先順位設定結果を表に表したものである。
【００６１】
また、表示灯５５にて、操作者に現在使用しているレンズ操作装置のレンズ操作権の状態や、他の者のレンズ操作状況を知らしめることで、ピント調整作業の補助をすることが可能である。
【００６２】
本実施例では一例として、フォーカスレンズの操作を前提として説明してきた。しかし、本実施例を実施することでアイリスレンズ、フランジバックレンズ等位置指令による駆動を行うレンズに対しても操作を容易にすることが可能である。
【実施例２】
【００６３】
以下、図６〜図１０を用いて、本発明の第２の実施例を説明する。
【００６４】
まず、図６を用いて、本実施例に用いる撮影システムについて説明する。なお、図１と同一構成の部分については同一の符号をつけ説明を省略する。
【００６５】
図６は本発明の撮影システムにおける機能ブロック図である。
【００６６】
レンズ操作装置７は本件に関わる機能である微調整制御手段、操作者識別手段を持たないレンズ操作装置であり、レンズ操作装置ＣＰＵ７１と操作部材７２にて構成されている。
【００６７】
図７はレンズ装置ＣＰＵ１１にある優先順位決定手段１１１での全体フローである。
【００６８】
本実施例について図７を用いて説明する。
【００６９】
ステップＳＴ７０１で処理を開始し、ステップＳＴ７０２ではレンズ操作装置の操作者の状態を識別する。
【００７０】
ステップＳＴ７０３では、ＳＴ７０２の操作者識別結果とレンズ操作装置の状態により、優先順位を決定する。図７のステップＳＴ７０２の詳細については図８を用いて、ステップＳＴ７０３の詳細については、図９を用いて説明する。
【００７１】
図８は優先順位決定手段１１１での操作者を識別するフローである。
【００７２】
本実施例について図８を用いて説明する。
【００７３】
ステップＳＴ８０１で処理を開始し、ステップＳＴ８０２ではレンズ操作装置５の操作者識別手段５４の設定状態を識別する。フォーカスマン設定の場合はステップＳＴ８０３へ進み、カメラマン設定の場合はステップＳＴ８０４へ進む。
【００７４】
ステップＳＴ８０３では、レンズ操作装置５をフォーカスマン用と認識し、レンズ操作装置７をフォーカスマン用と認識する。その後、ステップＳＴ８０５へ進み、操作者識別を終了する。
【００７５】
ステップＳＴ８０４では、レンズ操作装置５をカメラマン用と認識し、レンズ操作装置７をカメラマン用と認識する。その後、ステップＳＴ８０５へ進み、操作者識別を終了する。
【００７６】
図９は優先順位決定手段１１１でのフォーカス操作権の優先順位を決定するフローである。
【００７７】
本実施例について図９を用いて説明する。なお、図８のフロー結果にてレンズ操作装置５とレンズ操作装置７の操作者識別結果が同種である場合には、図９のフローを適用しない。この場合は先操作を優先、もしくは後操作を優先としてもよい。
【００７８】
ステップＳＴ９０１で処理を開始し、ステップＳＴ９０２ではＣデマンドの操作端有無を識別する。操作端が有る場合にはステップＳＴ９０３へ進み、操作端が無い場合にはステップＳＴ９０８へ進む。
【００７９】
ステップＳＴ９０３では、Ｆデマンドの操作端有無を識別する。操作端が有る場合にはステップＳＴ９０４へ進み、操作端が無い場合にはステップＳＴ９０５へ進む。
【００８０】
ステップＳＴ９０４では、フォーカスマンとカメラマンのレンズ操作装置は操作端有りのためどちらも絶対値指令であると判断し、フォーカス操作権を切り替えた際にレンズ乗り移りが発生する可能性があることから、フォーカス操作権をフォーカスマン専有とし、カメラマンによるフォーカス操作を禁止する。その後、ステップＳＴ９１３へ進み、優先順位決定を終了する。
【００８１】
ステップＳＴ９０５では、Ｆデマンドの微調整制御設定の識別を行う。Ｆデマンドが微調整制御設定の場合にはステップＳＴ９０６に進み、微調整制御設定ではない場合にはステップＳＴ９０７へ進む。
【００８２】
ステップＳＴ９０６では、フォーカス操作は絶対値指令であるカメラマン側のレンズ操作装置を優先し、相対値指令且つ微調整制御であるフォーカスマン側のレンズ操作装置の指令信号をカメラマン側の絶対値指令に加算し、レンズ駆動を行う。その後、ステップＳＴ９１３へ進み、優先順位決定を終了する。
【００８３】
ステップＳＴ９０７では、フォーカス操作は絶対値指令であるカメラマン側のレンズ操作装置を優先し、相対値指令且つ粗調整制御であるフォーカスマン側のレンズ操作装置の指令信号をカメラマン側の絶対値指令に加算し、レンズ駆動を行う。その後、ステップＳＴ９１３へ進み、優先順位決定を終了する。
【００８４】
ステップＳＴ９０８では、Ｆデマンドの操作端有無を識別する。操作端が有る場合にはステップＳＴ９０９へ進み、操作端が無い場合にはステップＳＴ９１０へ進む。
【００８５】
ステップＳＴ９０９では、フォーカス操作は絶対値指令であるフォーカスマン側のレンズ操作装置を優先し、相対値指令であるカメラマン側のレンズ操作装置の指令信号をフォーカスマン側の絶対値指令に加算し、レンズ駆動を行う。その後、ステップＳＴ９１３へ進み、優先順位決定を終了する。
【００８６】
ステップＳＴ９１０では、Ｆデマンドの微調整制御設定の識別を行う。Ｆデマンドが微調整制御設定の場合にはステップＳＴ９１１に進み、微調整制御設定ではない場合にはステップＳＴ９１２へ進む。
【００８７】
ステップＳＴ９１１では、フォーカスマンとカメラマンのレンズ操作装置は操作端有りのためどちらも相対値指令となっているが、フォーカスマン側のレンズ操作装置が微調整制御になっていることから、フォーカスマンがピント調整を行っていると判断し、フォーカス操作権をフォーカスマン専有とし、カメラマンの操作を禁止する。その後、ステップＳＴ９１３へ進み、優先順位決定を終了する。
【００８８】
ステップＳＴ９１２ではフォーカスマンとカメラマンのレンズ操作装置は操作端無しのためどちらも相対値指令となっているが、フォーカスマン側のレンズ操作装置が粗調整制御であることから、フォーカスマンがピント調整を行っていないと判断し、フォーカスマンとカメラマンにフォーカス操作権を持たせる。しかし、ビューファー装置３によるピント調整はカメラマンに困難であるため、フォーカスマンの操作権を優先とし、相対値指令であるカメラマン側のレンズ操作装置の指令信号をフォーカスマン側の指令値に加算し、レンズ駆動を行う。
【００８９】
その後、ステップＳＴ９１３へ進み、優先順位決定を終了する。
【００９０】
本実施例のように本件に関わる機能を持たないレンズ操作装置の組み合わせでも、操作権の優先順位付けを行うことが可能となる。
【００９１】
図１０は本実施例の図７、８、９にて説明したレンズ操作装置の状態による優先順位設定結果を表に表したものである。
【００９２】
以上、本発明の好ましい実施形態について説明したが、本発明はこれらの実施形態に限定されず、その要旨の範囲内で種々の変形及び変更が可能である。
【符号の説明】
【００９３】
１  レンズ装置、１１  レンズ装置ＣＰＵ、１１１  優先順位決定手段、
２  カメラ装置、３  ビューファー装置、４  モニタ装置、５  レンズ操作装置、
５１  レンズ操作装置ＣＰＵ、５１１  指令信号生成手段、５２  操作者識別手段、
５３  操作部材、５４  微調整制御切替手段、５５  表示灯、６  レンズ操作装置、
７  レンズ操作装置、７１  レンズ操作装置ＣＰＵ、７２  操作部材
【図１】
2017215403.tif 000003
【図２】
2017215403.tif 000004
【図３】
2017215403.tif 000005
【図４】
2017215403.tif 000006
【図５】
2017215403.tif 000007
【図６】
2017215403.tif 000008
【図７】
2017215403.tif 000009
【図８】
2017215403.tif 000010
【図９】
2017215403.tif 000011
【図１０】
2017215403.tif 000012